(57)【要約】【課題】漏水を迅速に判定可能な給湯装置を提供する。【解決手段】給湯装置は、給湯先へ給湯する第一給湯手段と、給湯先への給湯温度を検出する温度検出手段と、給湯先への給湯経路に設けられ、流量に応じたパルスを出力する羽根車式の流量センサと、流量センサの時間当たりパルス数に基づいて、給湯先へ給湯している状態である給湯有であるか、給湯先へ給湯していない状態である給湯無であるかを判定する制御手段と、情報を報知する報知手段とを備える。制御手段は、給湯無のときに温度検出手段の検出温度が所定範囲を超えて変化した場合に、漏水の発生を報知手段により報知する。【選択図】図２
2019158275.tif 000002
【特許請求の範囲】
【請求項１】
給湯先へ給湯する第一給湯手段と、
前記給湯先への給湯温度を検出する温度検出手段と、
前記給湯先への給湯経路に設けられ、流量に応じたパルスを出力する羽根車式の流量センサと、
前記流量センサの時間当たりパルス数に基づいて、前記給湯先へ給湯している状態である給湯有であるか、前記給湯先へ給湯していない状態である給湯無であるかを判定する制御手段と、
情報を報知する報知手段とを備え、
前記制御手段は、前記給湯無のときに前記温度検出手段の検出温度が所定範囲を超えて変化した場合に、漏水の発生を前記報知手段により報知する給湯装置。
【請求項２】
前記制御手段は、前記給湯無のときに前記温度検出手段の検出温度が第一温度以上になったときに、漏水の発生を前記報知手段により報知する請求項１に記載の給湯装置。
【請求項３】
前記第一温度は、使用者が設定した給湯設定温度に等しい請求項２に記載の給湯装置。
【請求項４】
前記給湯有と前記給湯無とが繰り返した場合において、前記給湯無のときに前記流量センサがパルスを出力しており、かつ、前回の前記給湯無のときの前記時間当たりパルス数と、今回の前記給湯無のときの前記時間当たりパルス数との差が基準よりも小さいときには、前記制御手段は、漏水の発生を前記報知手段により報知する請求項１から請求項３のいずれか一項に記載の給湯装置。
【請求項５】
前記報知手段は、前記漏水の発生を音により報知する音発生部を備える請求項１から請求項４のいずれか一項に記載の給湯装置。
【請求項６】
前記報知手段は、前記漏水の発生を音により報知する音発生部と、前記漏水の発生を表示により報知する表示部と、前記音発生部による報知をしないように設定可能な操作部とを備える請求項１から請求項４のいずれか一項に記載の給湯装置。
【請求項７】
給湯経路の異なる第二の給湯先へ給湯する第二給湯手段を備え、
前記制御手段は、前記第二給湯手段による給湯をしているときには、漏水判定を実施しない請求項１から請求項６のいずれか一項に記載の給湯装置。
【請求項８】
貯湯タンクと、
貯湯タンクの水を加熱する加熱手段とを備え、
前記制御手段は、前記加熱手段による加熱を休止する休止設定が使用者によってなされているときには、漏水判定を実施しない請求項１から請求項７のいずれか一項に記載の給湯装置。
【請求項９】
前記給湯無のときに前記流量センサがパルスを出力しており、かつ、当日の前記給湯無のときの前記時間当たりパルス数と、前日の前記給湯無のときの前記時間当たりパルス数との差が基準よりも小さいときには、前記制御手段は、漏水であることを前記報知手段により報知する請求項１から請求項８のいずれか一項に記載の給湯装置。
【発明の詳細な説明】
【技術分野】
【０００１】
本発明は、給湯装置に関する。
【背景技術】
【０００２】
下記特許文献１には、流量センサの検出流量に応じてバーナの加熱を制御する加熱制御手段を備えた給湯装置において、流量センサの検出流量に応じて加熱制御手段によりバーナの加熱が停止されてから、流量センサの検出流量に応じて加熱制御手段によりバーナの加熱が開始されるまでの時間内で、流量センサの検出流量が、給水管が閉止していると判定するための閉止判定用流量より大きい流量となる時間を、流量センサの検出流量が閉止判定用流量未満となるときまで積算する時間積算手段を設け、時間積算手段による積算時間が所定時間以上となったときに、漏水であると判断する技術が開示されている。
【先行技術文献】
【特許文献】
【０００３】
【特許文献１】特開２００９−１７４８１１号公報
【発明の概要】
【発明が解決しようとする課題】
【０００４】
上述した従来の技術では、漏水と判定するまでに時間がかかり、短時間で漏水を判定できないという課題がある。
【０００５】
本発明は、上述のような課題を解決するためになされたもので、漏水を迅速に判定可能な給湯装置を提供することを目的とする。
【課題を解決するための手段】
【０００６】
本発明に係る給湯装置は、給湯先へ給湯する第一給湯手段と、給湯先への給湯温度を検出する温度検出手段と、給湯先への給湯経路に設けられ、流量に応じたパルスを出力する羽根車式の流量センサと、流量センサの時間当たりパルス数に基づいて、給湯先へ給湯している状態である給湯有であるか、給湯先へ給湯していない状態である給湯無であるかを判定する制御手段と、情報を報知する報知手段とを備え、制御手段は、給湯無のときに温度検出手段の検出温度が所定範囲を超えて変化した場合に、漏水の発生を報知手段により報知するものである。
【発明の効果】
【０００７】
本発明によれば、漏水を迅速に判定することが可能となる。
【図面の簡単な説明】
【０００８】
【図１】実施の形態１による貯湯式給湯装置を示す図である。
【図２】実施の形態１において制御部が実行する処理を示すフローチャートである。
【図３】漏水が発生している場合の時間当たりパルス数の時間的な変化の例を示す図である。
【図４】実施の形態２において制御部が実行する処理を示すフローチャートである。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による貯湯式給湯装置３５を示す図である。図１に示すように、本実施の形態の貯湯式給湯装置３５は、冷凍サイクルであるヒートポンプサイクルを利用するＨＰユニット７と、貯湯タンク８を有するタンクユニット３３と、リモコン４４とを備える。ＨＰユニット７は、熱源機に相当する。図示の構成では、貯湯式給湯装置３５の動作を制御する制御部３６がタンクユニット３３に内蔵されている。
【００１１】
リモコン４４は、貯湯式給湯装置３５の制御部３６に対し、双方向にデータ通信可能に接続されている。リモコン４４は、ユーザーインターフェースの例である。制御部３６とリモコン４４との間の通信は、有線通信でも無線通信でもよい。リモコン４４は、浴室に設置されてもよい。リモコン４４は、台所に設置されてもよい。異なる場所に複数のリモコン４４が設置されてもよい。リモコン４４のほかに、例えばスマートフォンのような携帯情報端末が貯湯式給湯装置３５のユーザーインターフェースとして使用可能でもよい。
【００１２】
リモコン４４は、表示部４４ａ、操作部４４ｂ、及び音発生部４４ｃを備える。表示部４４ａは、例えば、液晶ディスプレイまたは有機ＥＬディスプレイでもよい。表示部４４ａは、例えば、貯湯式給湯装置３５の状態に関する情報、貯湯式給湯装置３５の設定内容に関する情報などを表示できる。操作部４４ｂは、使用者が操作するためのボタン、ダイヤル、キーなどを含んでもよい。表示部４４ａは、操作部の機能を兼ね備えるタッチスクリーンでもよい。音発生部４４ｃは、スピーカを備えており、情報を報知するための音（音声を含む）を発生可能である。表示部４４ａ及び音発生部４４ｃは、報知手段に相当する。
【００１３】
ＨＰユニット７とタンクユニット３３との間は、ＨＰ往き管１４とＨＰ戻り管１５と図示しない電気配線とを介して接続されている。タンクユニット３３及びＨＰユニット７が備える弁類、ポンプ類のような各種のアクチュエータの作動は、これらと電気的に接続された制御部３６により制御される。
【００１４】
ＨＰユニット７は、圧縮機２、水冷媒熱交換器３、膨張弁４、及び空気熱交換器６を冷媒管５にて環状に接続した冷媒回路による冷凍サイクルを備えている。水冷媒熱交換器３は、圧縮機２により圧縮された高温高圧の冷媒と、タンクユニット３３から導かれた水との間で熱を交換する熱交換器である。貯湯式給湯装置３５は、沸上運転を実施できる。沸上運転は、ＨＰユニット７により貯湯タンク８の水を加熱する運転である。ＨＰユニット７の加熱能力は、単位時間当たりに水に与える熱量であり、単位はワットである。例えば、圧縮機２の電源周波数を可変にすることで、ＨＰユニット７の加熱能力を調整可能である。ＨＰユニット７の加熱能力を変えることで、ＨＰユニット７の消費電力を調整可能である。空気熱交換器６は、大気の熱を低圧冷媒に吸収させる熱交換器である。ＨＰユニット７は、外気を空気熱交換器６へ送風する送風機（図示省略）を備えていてもよい。
【００１５】
タンクユニット３３には、以下の各種部品及び配管などが内蔵されている。貯湯タンク８は、湯水を貯留するためのものである。温度による水の密度の違いにより、貯湯タンク８内には、上側が高温で下側が低温の温度成層を形成できる。貯湯タンク８の下部に設けられた水導入口８ａには、第３給水管９ｃが接続されている。水道等の水源から供給される水は、減圧弁３１で所定圧力に調圧された上で、第３給水管９ｃを通って貯湯タンク８内に流入する。貯湯タンク８の上部に設けられた温水導入出口８ｄには、貯湯タンク８内に貯留された湯を貯湯式給湯装置３５の外部へ供給するための給湯管２１と、送湯管１３とが接続されている。
【００１６】
沸上運転において、ＨＰユニット７を用いて加熱された高温湯が温水導入出口８ｄから貯湯タンク８内に流入し、貯湯タンク８内で上から下に向かって徐々に高温湯が蓄積されていく。貯湯タンク８の表面には、複数の貯湯温度センサ４２，４３が高さを変えて取り付けられている。制御部３６は、これら貯湯温度センサ４２，４３で貯湯タンク８内の湯水の温度分布を検出することにより、貯湯タンク８内の貯湯量及び蓄熱量を検出できる。制御部３６は、検出された貯湯タンク８内の貯湯量または蓄熱量に応じて、沸上運転の開始及び停止などを制御してもよい。図示の例では、２個の貯湯温度センサ４２，４３を設けているが、さらに多くの貯湯温度センサを設けてもよい。
【００１７】
タンクユニット３３内には、循環ポンプ１２及び風呂用熱交換器２０が内蔵されている。循環ポンプ１２は、各種の配管に湯水を循環させるためのポンプであり、ＨＰ往き管１４上に設けられている。風呂用熱交換器２０は、貯湯タンク８またはＨＰユニット７から供給される高温湯を利用して、２次側の加熱対象水（浴槽水または暖房用水など）を加熱するための熱交換器である。本実施の形態では、風呂用熱交換器２０の２次側の構成として、浴槽３０内の湯水を循環させる風呂往き管２７と風呂戻り管２８を例示し説明する。風呂用熱交換器２０は、風呂往き管２７と風呂戻り管２８の途中に設置されている。また、風呂往き管２７と風呂戻り管２８の途中には、浴槽水を循環させるための風呂循環ポンプ２９と、浴槽３０から出た浴槽水の温度を検出するための風呂戻り温度センサ３８と、風呂用熱交換器２０から出た熱交換後の湯の温度を検出するための風呂往き温度センサ３７とが設置されている。
【００１８】
三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段であり、４つの経路、ａ−ｂ、ａ−ｃ、ｂ−ｄ、ｃ−ｄの間で流路切替可能に構成されている。また、タンクユニット３３は、水導出口管１０、温水導入管２０ａ、第１バイパス管１６、温水導出管２０ｂ、及び第２バイパス管１７を有している。水導出口管１０は、貯湯タンク８の下部に設けられた水導出口８ｂと三方弁１１のａポートとを接続する。ＨＰ往き管１４は、三方弁１１のｃポートとＨＰユニット７の入口側とを接続する。ＨＰ戻り管１５は、ＨＰユニット７の出口側と四方弁１８のｃポートとを接続する。送湯管１３は、四方弁１８のｄポートと、貯湯タンク８上部の温水導入出口８ｄとを接続する。第１バイパス管１６は、四方弁１８のａポートと、貯湯タンク８の中央部から下部の間に設けられた温水導入口８ｃとを接続する。温水導入管２０ａは、送湯管１３の途中から分岐し、風呂用熱交換器２０の１次側入口に接続される。温水導出管２０ｂは、風呂用熱交換器２０の１次側出口と三方弁１１のｂポートとを接続する。第２バイパス管１７は、ＨＰ往き管１４における循環ポンプ１２とＨＰユニット７の入口側との間から分岐し、四方弁１８のｂポートに接続される。
【００１９】
さらに、タンクユニット３３は、第１給水管９ａ、第２給水管９ｂ、給湯用混合弁２２、風呂用混合弁２３、第１給湯管２４、及び第２給湯管２５を有している。第１給水管９ａの一端は水道等の水源に接続され、第１給水管９ａの他端には減圧弁３１を介して第２給水管９ｂ及び第３給水管９ｃが接続されている。第２給水管９ｂは、途中から分岐してそれぞれ給湯用混合弁２２と風呂用混合弁２３とに接続されている。また、給湯管２１は、途中から分岐してそれぞれ給湯用混合弁２２及び風呂用混合弁２３に接続されている。第２給湯管２５の途中には、第２給湯管２５を開閉する風呂用電磁弁２６と、第２給湯管２５を通る湯の流量を検出する風呂用流量センサ４５とが設けられている。第１給水管９ａに設けられた給水温度センサ４９は、水源から供給される低温水の温度である給水温度を検出する。
【００２０】
給湯用混合弁２２及び風呂用混合弁２３は、給湯管２１から供給される高温湯と、第２給水管９ｂから供給される低温水との流量比を調整することにより、使用者がリモコン４４にて設定した設定温度の湯を生成し、第１給湯管２４及び第２給湯管２５にそれぞれ流入させる。給湯用混合弁２２で温度調整された湯は、第１給湯管２４から給湯栓３４を経由して、第一給湯先（図示省略）へ供給される。第一給湯先は、例えば、シャワーまたはカラン等の蛇口でもよい。給湯用混合弁２２及び第１給湯管２４は、第一給湯手段に相当する。
【００２１】
給湯流量センサ４６及び給湯温度センサ４７が第１給湯管２４に設置されている。給湯流量センサ４６は、第一給湯先への給湯流量を検出する。給湯温度センサ４７は、第一給湯先への給湯温度を検出する。
【００２２】
風呂用混合弁２３で設定温度に調整された湯は、第２給湯管２５から、風呂往き管２７及び風呂戻り管２８を経て、第二給湯先である浴槽３０に供給される。風呂用混合弁２３及び第２給湯管２５は、第二給湯手段に相当する。
【００２３】
三方弁１１は、水導出口管１０とＨＰ往き管１４とが連通する形態と、温水導出管２０ｂとＨＰ往き管１４とが連通する形態、の２つの流路形態で、タンクユニット３３内の湯水の流路を切り替えて使用する。四方弁１８は、ＨＰ戻り管１５と送湯管１３とが連通する形態、ＨＰ戻り管１５と第１バイパス管１６とが連通する形態、第１バイパス管１６と第２バイパス管１７とが連通する形態、送湯管１３と第２バイパス管１７とが連通する形態、の４つの流路形態で、タンクユニット３３内の湯水の流路を切り替えて使用する。
【００２４】
沸上運転のときには、以下のようになる。ＨＰユニット７及び循環ポンプ１２が運転される。貯湯タンク８内の下部の水が、水導出口８ｂ、水導出口管１０、三方弁１１、循環ポンプ１２、及びＨＰ往き管１４を通って、水冷媒熱交換器３に流入する。圧縮機２により圧縮された高温高圧の冷媒が水冷媒熱交換器３に流入する。水冷媒熱交換器３内で加熱された高温の湯は、ＨＰ戻り管１５、四方弁１８、及び送湯管１３を通って、温水導入出口８ｄから貯湯タンク８内に流入する。水冷媒熱交換器３を通過した高圧冷媒は、膨張弁４により膨張及び減圧し、気液二相の低圧冷媒になる。この低圧冷媒は、空気熱交換器６にて大気の熱を吸収することにより蒸発して気化する。この気化した低圧冷媒は、圧縮機２に吸入される。
【００２５】
給湯流量センサ４６は、羽根車式の流量センサである。給湯流量センサ４６は、第１給湯管２４を通る湯の流量に比例するパルスを出力する。以下の説明では、給湯流量センサ４６が出力する時間当たりのパルス数を「時間当たりパルス数」と称する。制御部３６は、時間当たりパルス数に基づいて、第一給湯先へ給湯している状態である「給湯有」であるか、第一給湯先へ給湯していない状態である「給湯無」であるかを判定する。本実施の形態では、制御部３６は、時間当たりパルス数が１５Ｈｚより高い場合を「給湯有」と判定し、時間当たりパルス数が１５Ｈｚ以下である場合を「給湯無」と判定する。この１５Ｈｚという閾値は、一例であり、これに限定されるものでないことは言うまでもない。このような閾値は、給湯流量センサ４６のパルス検出能力に応じて、好ましい値を選定すべきものである。
【００２６】
制御部３６は、「給湯有」と判定した場合には、給湯温度センサ４７の検出温度が設定温度に等しくなるように給湯用混合弁２２による混合比をフィードバック制御する。制御部３６は、「給湯無」と判定した場合には、給湯用混合弁２２を動作させない。
【００２７】
「給湯無」のときに第一給湯先で漏水が発生すると、給湯用混合弁２２による温度調整がなされないので、給湯温度センサ４７の検出温度が変動する。制御部３６は、「給湯無」と判定しているときに給湯温度センサ４７の検出温度が所定範囲を超えて変化した場合に、漏水の発生をリモコン４４の表示部４４ａ及び音発生部４４ｃの少なくとも一方により報知する。このようにすることで、漏水を迅速に検出することが可能となる。音発生部４４ｃにより漏水を報知した場合には、使用者に対してより確実に漏水を知らせることができる。
【００２８】
図２は、実施の形態１において制御部３６が実行する処理を示すフローチャートである。まず、ステップＳ１として、制御部３６は、「給湯有」か「給湯無」かを前述したようにして判定する。「給湯無」である場合には、ステップＳ２として、制御部３６は、給湯温度センサ４７の検出温度が所定範囲を超えて変化したかどうかを判断する。例えば、給湯温度センサ４７の検出温度に１５秒間で±１℃以上の変動が生じた場合に、給湯温度センサ４７の検出温度が所定範囲を超えて変化したと判断してもよい。
【００２９】
ステップＳ２で給湯温度センサ４７の検出温度が所定範囲を超えて変化した場合には、制御部３６は、ステップＳ３として、漏水が発生していると判定する。続いて、ステップＳ４として、漏水の発生をリモコン４４の表示部４４ａ及び音発生部４４ｃの少なくとも一方により報知する。
【００３０】
制御部３６は、「給湯無」のときに給湯温度センサ４７の検出温度が第一温度以上になったときに、漏水が発生していると判定し、漏水の発生を表示部４４ａ及び音発生部４４ｃの少なくとも一方により報知してもよい。この「第一温度」は、常温（例えば２０℃）よりも高い温度である。漏水が発生していない場合には、第１給湯管２４に残留している水の温度は常温になるので、給湯温度センサ４７が常温を検出する。これに対し、漏水が発生していると、貯湯タンク８からの高温水が第１給湯管２４に流入することで、給湯温度センサ４７の検出温度が常温よりも高くなる。このため、「給湯無」のときに給湯温度センサ４７の検出温度が「第一温度」以上になった場合には、漏水であると判定できる。「第一温度」は、使用者が設定した給湯設定温度に等しい温度でもよい。
【００３１】
実施の形態２．
次に、図３及び図４を参照して、実施の形態２について説明するが、前述した実施の形態１との相違点を中心に説明し、同一部分または相当部分については説明を簡略化または省略する。図３は、漏水が発生している場合の時間当たりパルス数の時間的な変化の例を示す図である。
【００３２】
図３に示す例では、「給湯無」と「給湯有」とが繰り返している。給湯流量が高いほど、時間当たりパルス数は、多くなる。「給湯有」のときの給湯流量は、その都度異なる。このため、「給湯有」のときの時間当たりパルス数は、その都度異なる。「給湯無」のときに給湯流量センサ４６がパルスを出力している場合には、漏水の可能性がある。同じ箇所から漏水している場合、漏水の流量は、ほぼ一定になると考えられる。よって、「給湯無」のときに給湯流量センサ４６がパルスを出力しており、かつ、「給湯無」のときの時間当たりパルス数が毎回同じような値である場合には、漏水が発生している可能性が高いと考えられる。
【００３３】
以上の観点から、本実施の形態では、「給湯有」と「給湯無」とが繰り返した場合において、「給湯無」のときに給湯流量センサ４６がパルスを出力しており、かつ、前回の「給湯無」のときの時間当たりパルス数と、今回の「給湯無」のときの時間当たりパルス数との差が基準よりも小さいときには、制御部３６は、漏水が発生していると判定し、漏水の発生を表示部４４ａ及び音発生部４４ｃの少なくとも一方により報知する。このようにすることで、漏水の発生を迅速かつ確実に検出することができる。
【００３４】
図４は、実施の形態２において制御部３６が実行する処理を示すフローチャートである。まず、ステップＳ５として、制御部３６は、「給湯有」か「給湯無」かを前述したようにして判定する。「給湯無」である場合には、ステップＳ６として、制御部３６は、給湯流量センサ４６がパルスを出力しているかどうかを判定する。本実施の形態では、時間当たりパルス数が１Ｈｚ以上である場合に給湯流量センサ４６がパルスを出力していると判定し、時間当たりパルス数が１Ｈｚ未満である場合には給湯流量センサ４６がパルスを出力していないと判定する。給湯流量センサ４６がパルスを出力していない場合には漏水は発生していないと考えられるので、ステップＳ５に戻る。
【００３５】
ステップＳ６で、給湯流量センサ４６がパルスを出力している場合には、制御部３６は、そのときの時間当たりパルス数を記憶する。このようにして、制御部３６は、「給湯有」と「給湯無」とが繰り返した場合に、各回の「給湯無」のときの時間当たりパルス数を記憶する。ここでは、説明のため、図３に示すように、前回の「給湯無」のときの時間当たりパルス数をαとし、今回の「給湯無」のときの時間当たりパルス数をβとする。
【００３６】
ステップＳ６からステップＳ７へ進む。ステップＳ７では、制御部３６は、前回の「給湯無」のときの時間当たりパルス数αと、今回の「給湯無」のときの時間当たりパルス数βとの差が、基準よりも小さいかどうかを判断する。具体的には、｜α−β｜≦３が成立するかどうかを判断する。｜α−β｜≦３が成立する場合には、制御部３６は、ステップＳ８として、漏水が発生していると判定する。続いて、ステップＳ４として、漏水の発生をリモコン４４の表示部４４ａ及び音発生部４４ｃの少なくとも一方により報知する。なお、上記では基準値を「３」としたが、基準値の値は、給湯流量センサ４６の個体ばらつき及び繰り返しばらつきを考慮し、設定することが望ましい。
【００３７】
制御部３６は、所定時間の間に「給湯有」と「給湯無」とが繰り返した場合に上記のようにして漏水を判定するようにしてもよい。この「所定時間」は、短時間で検出できるように、例えば数十分間程度の値に設定してもよい。制御部３６は、「給湯有」と「給湯無」とが所定回数以上繰り返した場合に上記のようにして漏水を判定するようにしてもよい。この「所定回数」は、給湯流量センサ４６の検出値の繰り返しのばらつきを鑑みて、決定されることが望ましい。
【００３８】
上述した実施の形態１及び２では、さらに、以下のようにしてもよい。制御部３６は、風呂用混合弁２３による給湯をしているときには、漏水判定を実施しないようにしてもよい。風呂用混合弁２３による給湯をしているときには、給湯温度センサ４７及び給湯流量センサ４６の検出値がばらつく可能性がある。このため、風呂用混合弁２３による給湯をしているときには漏水判定を実施しないようにすることで、誤判定をより確実に防止できる。
【００３９】
貯湯式給湯装置３５を長期間使用しないときには、使用者は、リモコン４４を操作することで、沸上運転を所定期間休止する休止設定を行うことができる。制御部３６は、当該休止設定が使用者によってなされているときには、漏水判定を実施しないようにしてもよい。休止設定がなされているときには、使用者が不在であると考えられるので、漏水判定を実施する必要性が低いためである。
【００４０】
「給湯無」のときに給湯流量センサ４６がパルスを出力しており、かつ、当日の「給湯無」のときの時間当たりパルス数と、前日の「給湯無」のときの時間当たりパルス数との差が基準よりも小さいときには、制御部３６は、漏水であることを表示部４４ａ及び音発生部４４ｃの少なくとも一方により報知してもよい。この場合、例えば、以下のようにしてもよい。当日の「給湯無」のときに記憶された時間当たりパルス数をδとし、前日の「給湯無」のときに記憶された時間当たりパルス数をεとし、｜δ−ε｜≦３が成立する場合には、制御部３６は、漏水が発生していると判定し、漏水であることを表示部４４ａ及び音発生部４４ｃの少なくとも一方により報知する。
【００４１】
リモコン４４は、使用者が操作部４４ｂを操作することにより、音発生部４４ｃによる漏水の報知をしないように設定可能でもよい。音発生部４４ｃによる報知を煩わしいと感じる使用者に対しては、表示部４４ａによる報知だけで十分であると考えられるためである。
【符号の説明】
【００４２】
２  圧縮機、  ３  水冷媒熱交換器、  ４  膨張弁、  ５  冷媒管、  ６  空気熱交換器、  ７  ＨＰユニット、  ８  貯湯タンク、  ９ａ  第１給水管、  ９ｂ  第２給水管、  ９ｃ  第３給水管、  １０  水導出口管、  １１  三方弁、  １２  循環ポンプ、  １３  送湯管、  １４  ＨＰ往き管、  １５  ＨＰ戻り管、  １８  四方弁、  ２０  風呂用熱交換器、  ２１  給湯管、  ２２  給湯用混合弁、  ２３  風呂用混合弁、  ２４  第１給湯管、  ２５  第２給湯管、  ２６  風呂用電磁弁、  ２７  風呂往き管、  ２８  風呂戻り管、  ２９  風呂循環ポンプ、  ３０  浴槽、  ３３  タンクユニット、  ３４  給湯栓、  ３５  貯湯式給湯装置、  ３６  制御部、  ３７  風呂往き温度センサ、  ３８  風呂戻り温度センサ、  ４２，４３  貯湯温度センサ、  ４４  リモコン、  ４４ａ  表示部、  ４４ｂ  操作部、  ４４ｃ  音発生部、  ４５  風呂用流量センサ、  ４６  給湯流量センサ、  ４７  給湯温度センサ、  ４９  給水温度センサ
【図１】
2019158275.tif 000003
【図２】
2019158275.tif 000004
【図３】
2019158275.tif 000005
【図４】
2019158275.tif 000006